(57)【要約】【課題】表示面だけを装置の表面に表示させることができ、装置の筐体のカバーや扉などを開けることなく、且つ、装置の外観を損なうことなく、リモコンの光を受光可能な表示装置を提供する。【解決手段】ディスプレイ案内装置１０は、液晶表示装置３２と、保護ガラスユニット３１とを備える。液晶表示装置３２の内部に受光センサー５１が設けられている。保護ガラスユニット３１は、液晶表示装置３２の前枠フレーム３２３の前面に対向して配置されている。保護ガラスユニット３１は、周縁に緩衝部材３１２が取り付けられた保護ガラス３１１を有する。保護ガラス３１１の緩衝部材３１２は、前枠フレーム３２３に形成された導光窓３４１を覆っている。導光フィルム４０は、緩衝部材３１２と前枠フレーム３２３の前面との隙間Ｔ１に設けられており、その一端の端面４１は隙間Ｔ１から液晶表示装置３２の表示面側に露出している。【選択図】図６
2019041253.tif 000002
【特許請求の範囲】
【請求項１】
画像を表示面に表示す表示パネルを有する表示部と、
リモコンから発せられる光を受光可能な受光部と、
前記表示部の外周部との間に隙間を隔てて前記外周部に対向して配置される対向体と、
前記隙間に設けられ、前記受光部へ向けて延在するフィルム状の導光部材と、を備え、
前記導光部材における延在方向の一方の第１端は、前記隙間から前記表示面側に露出している表示装置。
【請求項２】
前記表示部は、前記表示パネルの前面の周縁を囲うように設けられ、前記受光部に光を案内する導光窓が形成された枠フレームを有し、
前記対向体は、前記枠フレームの前記導光窓を覆って前記枠フレームの前面との間に前記隙間を形成するように配置されており、
前記導光部材は、前記隙間に設けられており、前記導光窓の近傍に設けられている請求項１に記載の表示装置。
【請求項３】
前記導光部材は、前記導光窓を覆うように前記隙間に設けられている請求項２に記載の表示装置。
【請求項４】
前記導光部材は、前記導光窓に対応する位置に形成された穴部を有する請求項３に記載の表示装置。
【請求項５】
前記穴部の内周面は、前記導光部材の厚み方向において前記導光窓へ向けて末広がり形状に形成されている請求項４に記載の表示装置。
【請求項６】
前記穴部の内周縁は、前記導光窓へ向けて屈曲した形状に形成されている請求項４に記載の表示装置。
【請求項７】
前記穴部は、円形状に形成されている請求項４から６のいずれかに記載の表示装置。
【請求項８】
前記導光部材は、前記導光窓へ向けて突状に膨出する膨出部を有する請求項３に記載の表示装置。
【請求項９】
前記導光部材は、前記第１端とは反対側の第２端が前記導光窓に臨むように前記隙間に設けられている請求項２に記載の表示装置。
【請求項１０】
前記第２端は、半円形状に形成されている請求項９に記載の表示装置。
【請求項１１】
前記表示部は、前記表示パネルの前面の周縁を囲うように設けられた枠フレームを有し、
前記受光部は、前記表示部の背面側に設けられており、
前記対向体は、前記枠フレームの前面との間に前記隙間を形成するように配置されており、
前記導光部材は、前記隙間から前記受光部へ向けて延在しており、前記第１端とは反対側の第２端が前記受光部の受光面の近傍に配置されている請求項１に記載の表示装置。
【請求項１２】
前記受光部は、入射した光を前記受光部に導く中間導光部材を有し、
前記導光部材は、前記第２端が前記中間導光部材の近傍に配置されている請求項１１に記載の表示装置。
【請求項１３】
前記対向体は、
前記表示パネルの前記表示面に対向して配置されるガラス板と、
前記ガラス板の周縁部を覆う弾性を有する緩衝部材と、
前記表示部の前面の周縁に前記緩衝部材を当接した状態で前記ガラス板及び前記表示部を支持するケーシングと、を有し、
前記導光部材は、前記表示部の前面の周縁と前記緩衝部材との間に設けられている請求項１から１２のいずれかに記載の表示装置。
【請求項１４】
前記ケーシングを内部に収容した状態で前記ケーシングを支持し、前記表示部の前記表示面を外部に露出するための開口を有する外側筐体を更に備える請求項１３に記載の表示装置。
【請求項１５】
前記対向体は、前記表示部の側面との間で前記隙間を形成するように前記表示部の側方に隣接して設けられ、前記表示部と同じ構成の第２表示部であり、
前記受光部は、前記表示部及び前記第２表示部の背面側に設けられており、
前記導光部材は、前記第１端が前記隙間から前面に露出しており、前記隙間を通って背面側に延在しており、前記第１端とは反対側の第２端が前記受光部の受光面の近傍に配置されている請求項１に記載の表示装置。
【請求項１６】
前記導光部材は、前記表示部及び前記第２表示部の背面に沿って屈曲されており、
前記表示部及び前記第２表示部の背面における前記隙間を閉塞するシール部材を更に備える請求項１５に記載の表示装置。
【発明の詳細な説明】
【技術分野】
【０００１】
本発明は、画像を表示する表示装置に関し、特に、リモートコントローラー（以下「リモコン」と称する。）から発せられる光を受光する受光部を備える表示装置に関する。
【０００２】
近年、デパート、ショッピングモール、空港、及び駅などのコンコースには、表示部が埋め込まれたディスプレイ案内装置（表示装置）が設置されている。この種のディスプレイ案内装置は、表示部の表示画面だけが表面に露出しており、表示部の枠フレームはディスプレイ案内装置の筐体の内部に隠されている。ディスプレイ案内装置には、表示部のＯＳＤ設定を行う機能や、ディスプレイ案内装置の動作ログを出力する機能が備えられており、これらの各機能は、ユーザーによるリモコン操作によって実現される。リモコンは、操作信号を光に乗せて出力するものであり、前記ディスプレイ案内装置にはこの光を受信する受信装置が設けられている。
【０００３】
なお、特許文献１には、受光装置を備える表示装置の一例として、表示パネルの枠フレームに導光窓が設けられ、この導光窓に入射したリモコンからの光を受光可能な構成が開示されている。
【先行技術文献】
【特許文献】
【０００４】
【特許文献１】特開２０１４−１２７９００号公報
【発明の概要】
【発明が解決しようとする課題】
【０００５】
ところで、上述したディスプレイ案内装置に対してリモコン操作をする場合、リモコンからの光を内部に入射させるための導光窓を筐体の外壁に形成する必要がある。しかしながら、筐体の外壁に導光窓を形成することは、ディスプレイ案内装置の外観を損なうため好ましくない。また、表示部の表示画面だけでなく、受光装置の受光面を表面に露出するようにしてもよいが、この場合も、ディスプレイ案内装置の外観を損なう。また、筐体の外壁に導光窓を形成した場合、この導光窓から内部に塵埃や水滴、湿気が侵入して、内部の電気機器が故障するおそれがある。このような問題は、ディスプレイ案内装置に限られず、表示パネルの枠フレームに導光窓を有する表示装置にも同様に生じうる。
【０００６】
一方、筐体に外扉を設けて、リモコン操作の際に外扉を開放することにより、外観を損なうことなくリモコンの光を受光装置に入射させることが可能である。しかしながら、ディスプレイ案内装置は、大型施設等のコンコースなどのような人通りの多い場所に設置されているため、外扉を開放する場合は、通行人の邪魔にならないように作業しなければならず、例えば、作業中であることを示す表示案内を立てたり、通路と作業領域とを分けるなどして通行人の安全を確保する処置を講じたり、警備員を配置したりする必要がある。
【０００７】
本発明の目的は、表示面だけを装置の表面に表示させることができ、装置の筐体のカバーや扉などを開けることなく、且つ、装置の外観を損なうことなく、リモコンの光を受光可能な表示装置を提供することにある。
【課題を解決するための手段】
【０００８】
本発明の一の局面に係る表示装置は、表示部と、受光部と、対向体と、導光部材とを備える。前記表示部は、画像を表示面に表示す表示パネルを有する。前記受光部は、リモコンから発せられる光を受光可能に構成されている。前記対向体は、前記表示部の外周部と
の間に隙間を隔てて前記外周部に対向して配置される。前記導光部材は、前記隙間に設けられ、前記受光部へ向けて延在しており、フィルム状に形成されている。前記導光部材における延在方向の一方の第１端は、前記隙間から前記表示面側に露出している。
【発明の効果】
【０００９】
本発明によれば、表示面だけを装置の表面に表示させることができ、装置の筐体のカバーや扉などを開けることなく、且つ、装置の外観を損なうことなく、リモコンの光を受光することが可能である。
【図面の簡単な説明】
【００１０】
【図１】図１は、本発明の第１実施形態に係るディスプレイ案内装置を示す斜視図である。
【図２】図２は、ディスプレイ案内装置の断面構造を示す断面図である。
【図３】図３は、ディスプレイ案内装置の各構成を示す分解図である。
【図４】図４は、ディスプレイ案内装置が備える保護ガラスユニット及び液晶表示装置を示す分解斜視図である。
【図５】図５は、図４の要部Ｖの拡大図であり、液晶表示装置の導光部を示す図である。
【図６】図６は、ディスプレイ案内装置の導光部の構成を示す拡大図である。
【図７】図７は、導光部の構成を示すとともに第１実施形態の導光フィルムに入射したＩＲ光の進行を示す拡大図である。
【図８】図８は、第１実施形態の導光フィルムの変形例１を示す図である。
【図９】図９は、第１実施形態の導光フィルムの変形例２を示す図である。
【図１０】図１０は、第１実施形態の導光フィルムの変形例３を示す図である。
【図１１】図１１は、第１実施形態の導光フィルムの変形例４を示す図である。
【図１２】図１２は、本発明の第２実施形態に係るディスプレイ案内装置における導光フィルムの周辺を示す拡大図である。
【図１３】図１３は、第２実施形態の導光フィルムに入射したＩＲ光の進行を示す拡大図である。
【図１４】図１４は、本発明の第３実施形態に係るディスプレイ案内装置における導光フィルムの周辺を示す拡大図である。
【図１５】図１５は、本発明の第４実施形態に係るマルチディスプレイ装置を示す模式図である。
【図１６】図１６は、マルチディスプレイ装置の背面の下部の構成を示す模式図である。
【図１７】図１７は、第４実施形態の導光フィルム及びＩＲ光の進行を示す模式拡大図である。
【図１８】図１８は、第４実施形態の導光フィルムの変形例５を示す図である。
【図１９】図１９は、第４実施形態の導光フィルムの変形例６を示す図である。
【図２０】図２０は、本発明の第５実施形態に係る液晶表示装置を示す斜視図である。
【図２１】図２１は、図２０の切断面ＸＸＩ−ＸＸＩの断面構造と第５実施形態の導光フィルムにおけるＩＲ光の進行を示す断面図である。
【発明を実施するための形態】
【００１１】
以下、適宜図面を参照して本発明の各実施形態について説明する。以下に説明される各実施形態は本発明を具体化した一例にすぎず、本発明の技術的範囲を限定するものではない。なお、以下の説明では、各図に示される上下方向Ｄ１１、前後方向Ｄ１２、左右方向Ｄ１３を用いる。また、第２実施形態以降の説明では、第１実施形態の構成と共通の構成については、第１実施形態の構成と同じ符号を付し示すことにより、その説明を省略し、
また、作用及び効果について重複する説明を省略する。
【００１２】
［第１実施形態］
図１は、本発明の第１実施形態に係るディスプレイ案内装置１０（本発明の表示装置の一例）を示す斜視図である。ディスプレイ案内装置１０は、デパート、ショッピングモール、空港、駅などのコンコースに設置される電子案内表示装置であり、施設の利用者に当該施設のフロアガイドや店舗情報、周辺地域の情報などを表示させて利用者に提供する装置である。
【００１３】
図１に示すように、ディスプレイ案内装置１０は、コンコースにある施設の柱などの壁面１１に設けられている。ディスプレイ案内装置１０は、大別すると、キャビネット２０（本発明の外側筐体の一例）と、キャビネット２０の内部に収容されたディスプレイユニット３０（図２参照）とを有している。
【００１４】
図１及び図２に示すように、キャビネット２０は、ディスプレイユニット３０（図２参照）を内部に埋め込んだ状態で支持するものであり、本体ハウジング２１と、本体ハウジング２１の前面に取り付けられた外扉２２とを有する。本体ハウジング２１は、板金で構成されており、壁面１１に沿って柱を囲むように形成されている。図２に示すように、本体ハウジング２１は、壁面１１に固定された複数のステー２１１と、ステー２１１に固定された支持プレート２１２とを有する。支持プレート２１２に、ディスプレイユニット３０が取り付けられている。
【００１５】
図１に示すように、外扉２２は、本体ハウジング２１の前面の右端部を回動中心として、図中の矢印Ｄ２１方向に開閉可能なように本体ハウジング２１に取り付けられている。外扉２２は、ディスプレイ案内装置１０の前面の外観を損なわないように、本体ハウジング２１の内部に設けられた内蝶番２３によって本体ハウジング２１に対して回動可能に支持されている。また、外観を損なわないように、外扉２２の表面には、後述の開口２４以外の加工は施されておらず、取っ手や鍵穴なども設けられていない。
【００１６】
キャビネット２０の外扉２２の前面には、長方形状の縦長の大きな開口２４が形成されている。開口２４は、ディスプレイユニット３０の表示面３２１１を外部に露出するためのものである。利用者は、開口２４からディスプレイユニット３０に表示される情報を取得することができる。
【００１７】
図２はディスプレイ案内装置１０の中央部の縦断面図であり、図３はディスプレイ案内装置１０の分解図である。また、図４はディスプレイユニット３０の分解斜視図である。図２及び図３に示すように、ディスプレイユニット３０は、保護ガラスユニット３１（本発明の対向体の一例）と、液晶表示装置３２（本発明の表示部の一例）とを有する。
【００１８】
図３及び図４に示すように、液晶表示装置３２は、液晶ディスプレイ３２１（本発明の表示パネルの一例）、支持フレーム３２２と、前枠フレーム３２３（本発明の枠フレームの一例）、ＬＣＤドライバー（不図示）、バックライト（不図示）などを有する。液晶ディスプレイ３２１は、入力された信号やデータ等に応じて、文字や静止画、動画、映像などの画像情報を表示面３２１１に表示する。液晶ディスプレイ３２１は、一対のガラス基盤内に液晶層を封入した構成とされており、偏光フィルター、電極、配向膜などを備える従来周知の表示パネルである。なお、本実施形態では、表示パネルの一例として液晶技術を用いた液晶ディスプレイ３２１を例示するが、液晶ディスプレイ３２１に代えて、例えば、プラズマディスプレイや有機ＥＬディスプレイなどの表示パネルを適用することも可能である。
【００１９】
図４に示すように、本実施形態では、長方形状に形成された液晶ディスプレイ３２１が用いられる。ディスプレイ案内装置１０においては、液晶ディスプレイ３２１は、その長手方向が上下方向Ｄ１１に合わせられた状態で埋め込まれている。液晶ディスプレイ３２１は、液晶表示装置３２の前面側に配置されている。なお、液晶ディスプレイ３２１は、例えば、表示面３２１１に対する利用者のタッチ操作を受けつけるタッチパネルを有していてもよい。この場合、タッチパネルは、表示面３２１１に重ねるように配置される。
【００２０】
支持フレーム３２２は、合成樹脂で成形された樹脂成形品であり、矩形の箱形状に形成されている。支持フレーム３２２は、液晶表示装置３２の背面側の筐体である。支持フレーム３２２は、液晶ディスプレイ３２１を収容した状態で液晶ディスプレイ３２１を支持している。前枠フレーム３２３は、液晶ディスプレイ３２１の前面の周縁を囲う樹脂製の部材であり、枠状（ベゼル状）に形成されている。前枠フレーム３２３は、支持フレーム３２２の前側の外周縁と係合することにより、それらの間で液晶ディスプレイ３２１の周縁を挟持する。これにより、液晶表示装置３２において、液晶ディスプレイ３２１が固定される。なお、支持フレーム３２２には、上述のＬＣＤドライバー（不図示）やバックライト（不図示）なども収容されている。
【００２１】
保護ガラスユニット３１は、液晶表示装置３２の前方に設けられている。本実施形態では、保護ガラスユニット３１は、液晶表示装置３２の前枠フレーム３２３の前面に対向して配置されており、詳細には、前枠フレーム３２３の前面との間に微小な隙間Ｔ１（図７参照）を形成するように配置されている。
【００２２】
保護ガラスユニット３１は、保護ガラス３１１（本発明のガラス板の一例）と、緩衝部材３１２（本発明の緩衝部材の一例）と、ケーシング３１３（本発明のケーシングの一例）とを有する。保護ガラス３１１は、液晶ディスプレイ３２１の表示面３２１１を保護するものであり、矩形状に形成されている。保護ガラス３１１は、表示面３２１１を覆うことが可能なサイズに形成されている。この保護ガラス３１１は、後述するように、表示面３２１１に対向するように配置されている。
【００２３】
図３及び図４に示すように、保護ガラス３１１の周縁には、緩衝部材３１２が取り付けられている。緩衝部材３１２は、保護ガラス３１１の周縁の全周を覆っている。緩衝部材３１２は、例えば、スポンジやシリコンゴムなどのような弾性を有する部材で構成されている。なお、緩衝部材３１２は、衝撃や振動を吸収することが可能であれば、如何なる材料で構成されていてもよい。本実施形態では、緩衝部材３１２は、矩形の枠状に形成されている。緩衝部材３１２の内周面には、保護ガラス３１１の周縁が挿入される溝３１２１（図４参照）が形成されている。この溝３１２１に保護ガラス３１１の周縁が挿入されることで、緩衝部材３１２が保護ガラス３１１の周縁を覆うように取り付けられる。
【００２４】
ケーシング３１３は、緩衝部材３１２とともに保護ガラス３１１を支持するものであり、例えば、合成樹脂によって矩形の枠状に形成された樹脂成形品である。ケーシング３１３は、その前面側に保護ガラス３１１を露出させるための開口３１３１（図３、図４参照）が形成されている。ケーシング３１３は、その外周縁から後方へ立設した周壁３１３２を有している。図２に示すように、ケーシング３１３は、その周壁３１３２によって囲まれた空間に、緩衝部材３１２が取り付けられた状態の保護ガラス３１１を収容するとともに、緩衝部材３１２を介して保護ガラス３１１を支持している。これにより、衝撃や振動などから保護ガラス３１１が保護される。
【００２５】
図２に示すように、保護ガラスユニット３１は、液晶表示装置３２の前枠フレーム３２３（図３参照）の前面と対向するように配置される。具体的には、ケーシング３１３において、保護ガラス３１１の後方の空間には、液晶表示装置３２が収容されている。液晶表
示装置３２は、その前枠フレーム３２３の前面が緩衝部材３１２に当接した状態で、ケーシング３１３に収容されている。つまり、ケーシング３１３は、液晶表示装置３２の前面の周縁に緩衝部材３１２を当接した状態で、保護ガラス３１１及び液晶表示装置３２を収容するとともに、これらを支持している。緩衝部材３１２と前枠フレーム３２３の前面とが当接することにより、前枠フレーム３２３に設けられた後述の導光部３４（図５、図６参照）は、緩衝部材３１２によって覆われる。このため、リモコン５２（図６参照）からのＩＲ光Ｌ１（赤外光）は保護ガラスユニット３１によって遮光され、ＩＲ光Ｌ１は導光部３４に直接には届かない。
【００２６】
また、ケーシング３１３に保護ガラス３１１及び液晶表示装置３２が収容された状態で、ケーシング３１３の周壁３１３２（図３参照）の後端部が、本体ハウジング２１内の支持プレート２１２に固定されている。
【００２７】
図５は、図４の要部Ｖの拡大図であり、液晶表示装置３２の右下部分を拡大した図である。図５に示すように、液晶表示装置３２には、導光部３４が設けられている。導光部３４は、矩形状の導光窓３４１（本発明の導光窓の一例）と、導光フィルム４０（本発明の導光部材の一例）とにより構成されている。導光窓３４１は前枠フレーム３２３に形成されており、前枠フレーム３２３を貫通する貫通穴である。なお、図５では、導光窓３４１は点線で示されている。
【００２８】
導光窓３４１は、リモコン５２（図６参照）から出射されたＩＲ光Ｌ１を、前枠フレーム３２３の内部に設けられた受光センサー５１（図６参照、本発明の受光部の一例）に導くためのものである。
【００２９】
図５に示すように、前枠フレーム３２３の表面に導光フィルム４０が設けられている。導光フィルム４０は、後述の隙間Ｔ１（図７参照）に配置される。導光フィルム４０は、導光窓３４１の近傍に設けられている。詳細には、導光フィルム４０は、導光窓３４１を覆うように前枠フレーム３２３の表面に設けられている。導光フィルム４０は、厚みが約０．１ｍｍの透明な樹脂製フィルムであり、左右方向Ｄ１３に長い長方形状に形成されている。なお、導光フィルム４０の厚みは上述した寸法に限られない。導光フィルム４０は、透明な材質で構成されたフィルム状のものであって、その内部を面方向に沿ってＩＲ光Ｌ１を伝播可能なものである。例えば、導光フィルム４０は、ポリカーボネート、ポリ塩化ビニル（ＰＶＣ樹脂）、ポリエチレンテレフタラート（ＰＥＴ樹脂）、アクリルなどの透明樹脂で形成されたフィルム部材が適用可能である。
【００３０】
本実施形態では、導光フィルム４０は、接着剤などによって前枠フレーム３２３の表面に接着されている。導光フィルム４０の概ね中央には、円形状の穴４１（本発明の穴部の一例）が形成されている。穴４１は、導光フィルム４０において、導光窓３４１に対応する位置に形成されており、具体的には、穴４１と導光窓３４１とが重なるような位置に穴４１が形成されている。
【００３１】
図６は、ディスプレイ案内装置１０を図５におけるＶＩ−ＶＩ切断線で切断したときの断面図である。図７は、図６の断面図において導光部３４の周辺を拡大した拡大図である。なお、図７では、ケーシング３１３及び外扉２２の図示が省略されている。図６に示すように、導光窓３４１の裏側には受光センサー５１が設けられている。受光センサー５１は、導光窓３４１から内部に入射したＩＲ光Ｌ１を受光することができるセンサーであり、例えば、フォトトランジスタなどである。受光センサー５１は、導光窓３４１から入射したＩＲ光Ｌ１を効率良く受光できるように、その受光面５１１が導光窓３４１に対向するように配置されている。受光センサー５１は、支持フレーム３２２内の不図示のブラケットに固定されている。
【００３２】
図７に示すように、導光フィルム４０は、ケーシング３１３に保護ガラス３１１及び液晶表示装置３２が収容された状態で、緩衝部材３１２と前枠フレーム３２３の前面との間の隙間Ｔ１に設けられている。導光フィルム４０は、隙間Ｔ１内を左右方向Ｄ１３に延在しており、前枠フレーム３２３の前面に沿って受光センサー５１側へ延びている。ここで、図７に示された前記隙間Ｔ１は、緩衝部材３１２と前枠フレーム３２３の前面との間に存在するものであるが、導光フィルム４０が設けられていなければ、緩衝部材３１２が導光フィルム４０の厚み分だけ膨張して前記隙間Ｔ１は埋められる部分である。
【００３３】
導光フィルム４０において、導光フィルム４０の延在方向（左右方向Ｄ１３）の一方側（左側）の端面４２（本発明の第１端の一例、図７参照）は、リモコン５２からのＩＲ光Ｌ１を受ける部分であり、ＩＲ光Ｌ１を導光フィルム４０の内部に導く入射面である。また、穴４１の内周面４３（図７参照）は、内部を伝播したＩＲ光が外部へ出射する部分であり、ＩＲ光Ｌ１の出射面である。端面４２及び内周面４３は、ＩＲ光Ｌ１の入射及び出射時の減衰を抑制するために、微細な凹凸が生じないように切断されている。
【００３４】
導光フィルム４０の端面４２は、隙間Ｔ１から表示面３２１１側に露出している。この場合、端面４２は、緩衝部材３１２の左端部３１２２と同一面となる位置に配置されている。つまり、導光フィルム４０の端面４２は、左端部３１２２から左側へ飛び出していない。このため、端面４２には、端面４２を狙ってリモコン５２から出射されて、保護ガラス３１１を通過したＩＲ光Ｌ１を受けることができる。ＩＲ光Ｌ１が孔４１の内周面４３に到達すると、内周面４３から穴４１の外側へ拡散光として出射する（図７の破線矢印参照）。そして、内周面４３から出射したＩＲ光Ｌ１の一部が直接又は他の部材に反射しつつ受光センサー５１の受光面５１１に向かい、受光センサー５１によって受光される。なお、本実施形態では、導光フィルム４０の端面４２が左端部３１２２から左側へ飛び出さない構成を例示するが、ディスプレイ案内装置１０の前面からの美感が損なわれないのであれば、端面４２が左端部３１２２から左側へ僅かに突出していてもよい。
【００３５】
上述したように、本実施形態のディスプレイ案内装置１０には、緩衝部材３１２と前枠フレーム３２３の前面との間に導光フィルム４０が設けられている。そのため、緩衝部材３１２によって導光窓３４１が閉塞されていても、リモコン５２を隙間Ｔ１から露出している端面４２へ向けて操作することにより、リモコン５２から出射したＩＲ光Ｌ１は、端面４２に入射可能である。端面４２に入射したＩＲ光Ｌ１は、導光フィルム４０の内部を通って内周面４３に到達し、内周面４３から出射する。そして、内周面４３から出射したＩＲ光Ｌ１は受光センサー５１の受光面５１１で受光可能となる。
【００３６】
このようにＩＲ光Ｌ１が受光センサー５１によって受光可能であるため、リモコン５２の操作者は、外扉２２を開放することなく、リモコン５２の操作を行うことができる。また、外扉２２を開放することなくリモコン５２の操作が可能なため、通行人の邪魔になることもなく、リモコン５２の操作を継続することができる。また、外扉２２にＩＲ光Ｌ１を受光センサー５１へ導くための穴を形成する必要がないため、穴から侵入した塵埃や水滴、湿気による内部機器の故障という問題も生じない。更に、外扉２２の外観を損なうことなく、外観を良好に保つことができる。特に、キャビネット２０の本体ハウジング２１や外扉２２の表面に、広告やデザインのための化粧シート（装飾シート）が施された場合は、化粧シートに穴が開くことを防止でき、外観を損なわずに済む。
【００３７】
なお、上述の第１実施形態では、本発明の表示装置の一例として、コンコースの柱などの壁面１１に設けられたディスプレイ案内装置１０を例示したが、本発明は、このような構成に限られない。例えば、天井に吊り下げられたタイプのものや、壁面に嵌め込まれたタイプ、自立式タイプなどのディスプレイ案内装置にもて本発明は適用可能である。
【００３８】
また、上述の実施形態では、本発明の導光部材の一例として導光フィルム４０を例示した。しかしながら、この導光フィルム４０に代えて、導光部材の変形例１として、図８に示す導光フィルム４０１を適用することも可能である。ここで、図８の上図は導光フィルム４０１の正面図であり、下図は上手のＶＩＩ−ＶＩＩＩ切断線の断面図である。図８に示すように、導光フィルム４０１は、導光フィルム４０と同じ素材で構成されており、同じサイズに形成されたものである。この導光フィルム４０１の概ね中央には、円形状の穴４０１１（本発明の穴部の一例）が形成されている。穴４０１１の内周面４０１２は、厚み方向において、導光窓３４１へ向けて末広がり形状に形成されており、具体的には、テーパー状に形成されている。これにより、導光フィルム４０１に入射して内周面４０１２に到達したＩＲ光Ｌ１は、内周面４０１２のテーパー角に応じて導光窓３４１側へ偏光し、受光センサー５１へ向かう。これにより、受光センサー５１が効率良くＩＲ光Ｌ１を受光することができる。
【００３９】
また、導光フィルム４０に代えて、導光部材の変形例２として、図９に示す導光フィルム４０２を適用することも可能である。ここで、図９の上図は導光フィルム４０２の正面図であり、下図は上手のＩＸ−ＩＸ切断線の断面図である。図９に示すように、導光フィルム４０２は、導光フィルム４０と同じ素材で構成されており、同じサイズに形成されたものである。この導光フィルム４０２の概ね中央には、円形状の穴４０２１（本発明の穴部の一例）が形成されている。穴４０２１は、その内周の縁部４０２３（内周縁）が導光窓３４１へ向けて屈曲されている。具体的には、穴４０２１の内周面４０２２が導光窓３４１へ向くように縁部４０２３が屈曲されている。縁部４０２３は、導光窓３４１の内部に挿入される部分である。これにより、導光フィルム４０２に入射して内周面４０２２に到達したＩＲ光Ｌ１は、内周面４０１２のテーパー角に応じて導光窓３４１側へ偏光し、受光センサー５１へ向かう。これにより、受光センサー５１が効率良くＩＲ光Ｌ１を受光することができる。
【００４０】
また、導光フィルム４０に代えて、導光部材の変形例３として、図１０に示す導光フィルム４０３を適用することも可能である。ここで、図１０の上図は導光フィルム４０３の正面図であり、下図は上手のＸ−Ｘ切断線の断面図である。図１０に示すように、導光フィルム４０３は、導光フィルム４０と同じ素材で構成されており、同じサイズに形成されたものである。この導光フィルム４０３の概ね中央には、導光窓３４１へ向けて突状に膨出する膨出部４０３１（本発明の膨出部の一例）が設けられている。膨出部４０３１は、導光窓３４１の内部に挿入される部分である。これにより、導光フィルム４０３に入射して膨出部４０３１に到達してＩＲ光Ｌ１は、膨出部４０３１の湾曲形状に沿って頂部４０３２へ向けて進み、膨出部４０３１の頂部４０３２に達すると、頂部４０３２から外部へ出射して、受光センサー５１へ向かう。これにより、受光センサー５１が効率良くＩＲ光Ｌ１を受光することができる。
【００４１】
また、導光フィルム４０に代えて、導光部材の変形例４として、図１１に示す導光フィルム４０４を適用することも可能である。導光フィルム４０４は、導光フィルム４０と同じ素材で構成されている。この導光フィルム４０４は、導光フィルム４０よりも長手方向の長さが短く形成されている。具体的には、端面４２とは反対側の端面４４（本発明の第２端の一例）が導光窓３４１の中心に達する程度の長さに形成されている。つまり、導光フィルム４０４は、その端面４４が導光窓３４１に臨むように隙間Ｔ１に設けられている。これにより、端面４４に到達したＩＲ光Ｌ１は、漏れなく端面４４から出射して、導光窓３４１へ進行する。また、導光フィルム４０４には、図１１に示すように、端面４４の中央に半円形状に凹状に切り欠かれた曲面４０４１が形成されている。このため、曲面４０４１から出射したＩＲ光Ｌ１は、曲面４０４１の曲率に応じて曲面４０４１の中心点へ向けて収束する。その結果、受光センサー５１がより効率良くＩＲ光Ｌ１を受光すること
ができる。なお、曲面４０４１を導光窓３４１へ向けて傾斜させてテーパー状に形成することにより、受光センサー５１の受光面５１１におけるＩＲ光Ｌ１の照度を高めることができ、より効率良くＩＲ光Ｌ１を受光することができる。
【００４２】
［第２実施形態］
以下、図１２及び図１３を参照して、本発明の第２実施形態について説明する。図１２は、本実施形態に係るディスプレイ案内装置１０における導光フィルム４０５（本発明の導光部材の一例）の周辺を示す拡大図である。図１３は、導光フィルム４０５に入射したＩＲ光の進行を示す拡大図である。この実施形態では、受光センサー５１は、液晶表示装置３２の内部において背面側に設けられている。具体的には、支持フレーム３２２の右側壁３２２１の近傍に設けられている。受光センサー５１は、その受光面５１１は前側に向けられておらず、右側壁３２２１へ向けられている。
【００４３】
右側壁３２２１の後方側には、右側壁３２２１を貫通する貫通孔３２２２が形成されている。受光センサー５１は、この貫通孔３２２２に対向する位置に設けられている。貫通孔３２２２には、透明の樹脂部材で構成された矩形ブロック形状の導光部材５３（本発明の中間導光部材の一例）が挿通されている。本実施形態では、受光センサー５１及び導光部材５３によって本発明の受光部が実現されている。
【００４４】
導光部材５３は、透明な材質で構成されたものであって、その内部をＩＲ光Ｌ１を伝播可能なものであればよく、例えば、上述の導光フィルム４０と同じ材質で形成されていてもよい。導光部材５３は、受光面５１１へ延出しているが、その右端部は右側壁３２２１の外側に露出されており、この状態で貫通孔３２２２に嵌合などによって固定されている。
【００４５】
本実施形態では、上述の第１実施形態の導光部３４は設けられておらず、導光部３４に代えて、導光フィルム４０５が設けられている。導光フィルム４０５は、導光フィルム４０と同じ素材で構成されている。図１３に示すように、導光フィルム４０５は、Ｌ字状の屈曲された形状であり、端面４２を有する一方側の第１導光部４０５１は隙間Ｔ１に設けられており、前枠フレーム３２３と緩衝部材３１２とによって挟持されている。第１導光部４０５１は、例えば接着剤によって前枠フレーム３２３の前面に接着されている。一方、端面４２とは反対側の端面４４を有する第２導光部４０５２は、右側壁３２２１に沿って後方へ延出しており、その延出端の端面４４は、導光部材５３に近接している。つまり、導光フィルム４０５は、その第１導光部４０５１が隙間Ｔ１に設けられており、第２導光部４０５２は、隙間Ｔ１の右端から後方へ延在しており、端面４４が導光部材５３の近傍に配置されている。
【００４６】
このように構成されているため、リモコン５２を端面４２へ向けて操作することにより、リモコン５２から出射したＩＲ光Ｌ１は、端面４２に入射して導光フィルム４０５の内部に進入し、第１導光部４０５１及び第２導光部４０５２を通って端面４４に到達する。そして、端面４４から出射したＩＲ光Ｌ１は、導光部材５３に入射して、導光部材５３の内部を受光面５１１側へ向けて進み、受光面５１１側の端部から受光面５１１へ向けて出射する。これにより、受光センサー５１が効率良くＩＲ光Ｌ１を受光することができる。
【００４７】
［第３実施形態］
以下、図１４を参照して、本発明の第３実施形態について説明する。図１４は、本実施形態に係るディスプレイ案内装置１０における導光フィルム４０６（本発明の導光部材の一例）の周辺を示す拡大図である。本実施形態が、上述の第２実施形態と異なるところは、導光部材５３が設けられていない点と、第３導光部４０５３を有する導光フィルム４０６が設けられている点にある。導光フィルム４０６は、上述の第１導光部４０５１と、第
２導光部４０５２とを有しており、更に、第２導光部４０５２に連続して第３導光部４０５３が設けられている。第３導光部４０５３は、第２導光部４０５２から左側へ直角に屈曲されて、貫通孔３２２２に挿通されている。そして、第３導光部４０５３の延出端である端面４４が受光センサー５１の受光面５１１の近傍に配置されている。
【００４８】
このように構成されているため、導光フィルム４０６の内部に進入したＩＲ光Ｌ１は、第１導光部４０５１、第２導光部４０５２、そして第３導光部４０５３を順次通過して端面４４へ向けて進行する。そして、端面４４に到達すると、ＩＲ光Ｌ１は、端面４４から受光面５１１へ向けて出射する。これにより、受光センサー５１が効率良くＩＲ光Ｌ１を受光することができる。
【００４９】
［第４実施形態］
以下、図１５乃至図１７を参照して、本発明の第４実施形態について説明する。図１５は、本実施形態に係るマルチディスプレイ装置１００を示す模式図である。図１６は、マルチディスプレイ装置１００の背面の下部の構成を示す模式図である。図１７は、図１５における矢視ＸＶＩＩ−ＸＶＩＩから見た図であり、マルチディスプレイ装置１００の導光フィルム４０７（本発明の導光部材の一例）及びＩＲ光Ｌ１の進行を示す模式拡大図である。
【００５０】
マルチディスプレイ装置１００は、第１実施形態で説明した液晶表示装置３２が複数隣接して設けられることによって、大画面化した表示画面１０１を実現した装置である。マルチディスプレイ装置１００には、表示画面１０１を形成する合計９つの液晶表示装置３２が用いられており、上下方向Ｄ１１に３つの液晶表示装置３２が所定の隙間Ｔ２を隔てて等間隔に配置されており、また、左右方向Ｄ１３に３つの液晶表示装置３２が所定の隙間Ｔ２を隔てて等間隔に配置されている。なお、隙間Ｔ２は、液晶表示装置３２の支持フレーム３２２や前枠フレーム３２３が熱膨張したときの干渉を防止するために設けられている。
【００５１】
マルチディスプレイ装置１００の外周部には、枠フレーム１０２が設けられている。枠フレーム１０２は、背面側に設けられたフレーム１０３（図１７参照）とともに複数の液晶表示装置３２を支持する。
【００５２】
図１６に示すように、マルチディスプレイ装置１００の背面には、液晶表示装置３２間の隙間Ｔ２を閉塞する遮光シール１０５（本発明のシール部材の一例）が貼り付けられている。遮光シール１０５は、光を遮蔽する素材で形成されている。遮光シール１０５によって、表示画面１０１の隙間Ｔ２を通じて背面側の像が前面に映ることが防止され、また、背面側に回り込んだ光が周辺部材に反射して隙間Ｔ２を通じて表示画面１０１の表側に漏れ出ることが防止される。
【００５３】
本実施形態では、受光センサー５１（図１５、図１７参照）は、マルチディスプレイ装置１００の背面側に設けられている。具体的には、図１５において、下段中央に位置する液晶表示装置３２Ａ（本発明の表示部の一例）の背面側に設けられている。受光センサー５１は、その受光面５１１が液晶表示装置３２Ａの背面と対向するように前方へ向けた状態で不図示のブラケットなどに支持されている。
【００５４】
液晶表示装置３２Ａの右側に、液晶表示装置３２Ａと同じ構成の液晶表示装置３２Ｂ（本発明の対向体及び第２表示部の一例）が配置されている。液晶表示装置３２Ａと液晶表示装置３２Ｂとの間にも隙間Ｔ２と同様の隙間Ｔ２１が形成されている。つまり、液晶表示装置３２Ｂは、液晶表示装置３２Ａの側面との間で前記隙間Ｔ２１を形成するように液晶表示装置３２Ａの右側に隣接して設けられている。
【００５５】
マルチディスプレイ装置１００には、導光フィルム４０７が設けられている。導光フィルム４０７は、導光フィルム４０と同じ素材で構成されており、帯状に形成された長尺なフィルム部材である。図１７に示すように、導光フィルム４０７は、その長手方向の一方側の端面６１（本発明の第１端の一例）が隙間Ｔ２１から表示画面１０１の前面に露出している。端面６１は、表示画面１０１と同一面となる位置に配置されている。そして、導光フィルム４０７は、隙間Ｔ２１を通って背面側に延在し、端面６１とは反対側の端面６２（本発明の第２端の一例）が受光センサー５１の受光面５１１の近傍に配置されている。なお、マルチディスプレイ装置１００の前面からの美感が損なわれないのであれば、端面６１が表示画面１０１の前面から僅かに突出していてもよい。
【００５６】
図１７に示すように、導光フィルム４０７は、隙間Ｔ２１に配置される第１導光部４０７１と、第１導光部４０７１に対して直角に屈曲した第２導光部４０７２と、第２導光部４０７２に対して更に後方へ直角に屈曲した第３導光部４０７３とを有する。第１導光部４０７１は、隙間Ｔ２１を後方へ延在しており、第２導光部４０７２は、液晶表示装置３２Ａの背面に沿って左側へ延在している。そして、第３導光部４０７３は、受光センサー５１の受光面５１１へ向けて延在している。第３導光部４０７３の延出端である端面６２は、受光面５１１に近接する位置に達している。なお、遮光シール１０５は、第２導光部４０７２の表面に重なるようにして背面側の前記隙間Ｔ２１を閉塞するように貼り付けられている。
【００５７】
このように構成されているため、端面６１から導光フィルム４０７の内部に進入したＩＲ光Ｌ１は、第１導光部４０７１、第２導光部４０７２、そして第３導光部４０７３を順次通過して端面６２へ向けて進行する。そして、端面６２に到達すると、ＩＲ光Ｌ１は、端面６２から受光面５１１へ向けて出射する。これにより、受光センサー５１が効率良くＩＲ光Ｌ１を受光することができる。
【００５８】
なお、上述の第４実施形態では、本発明の導光部材の一例として導光フィルム４０７を例示したが、本発明の導光部材はこの構成に限られない。例えば、図１８に示すように、導光フィルム４０７は、隙間Ｔ２１における上下方向Ｄ１１の高さサイズＨ１と同じサイズに形成されたものであってもよい。この場合、隙間Ｔ２１から前面に露出される端面６１が上下方向Ｄ１１に広範囲に存在することになり、リモコン５２からのＩＲ光Ｌ１を受けやすくなる。また、隙間Ｔ２１において部分的に端面６１が現れるよりも、隙間Ｔ２１において上下方向Ｄ１１の全域に端面６１が存在するほうが表示画面１０１において端面６１が目立ち難くなる。
【００５９】
また、例えば、図１９に示すように、導光フィルム４０７は、第１導光部４０７１が高さサイズＨ１と同じサイズに形成されており、第３導光部４０７３が高さサイズＨ１よりも小さいサイズに形成されており、そして、第２導光部４０７２が第１導光部４０７１から第３導光部４０７３に渡って先細り形状に形成されたものであってもよい。この場合、表示画面１０１における端面６１が目立ち難くなり、且つ、端面６１に入射したＩＲ光Ｌ１が第２導光部４０７２で収束してから端面６２から出射される。このため、受光センサー５１が効率良くＩＲ光Ｌ１を受光することができる。
【００６０】
［第５実施形態］
以下、図２０及び図２１を参照して、本発明の第５実施形態について説明する。図２０は、本実施形態に係る液晶表示装置３２０（本発明の表示装置の一例）を示す斜視図である。図２１は、図２０の切断面ＸＸＩ−ＸＸＩの断面構造を示す断面図である。
【００６１】
図２０に示す液晶表示装置３２０は、上述の第１実施形態の液晶表示装置３２を横向き
にしたものであり、例えば、情報処理装置から出力される映像を表示するディスプレイ装置である。この液晶表示装置３２０が液晶表示装置３２とは異なり、図２１に示すように、前枠フレーム３２３に導光窓が形成されておらず、導光フィルム４０が前枠フレーム３２３と表示面３２１１との間の隙間Ｔ３に設けられている。なお、前枠フレーム３２３は、表示面３２１１の周縁と隙間Ｔ３を隔てて対向するように配置されており、したがって、本実施形態では、前枠フレーム３２３が本発明の対向体の一例である。
【００６２】
このように構成されているため、リモコン５２を隙間Ｔ３から露出している端面４２へ向けて操作することにより、リモコン５２から出射したＩＲ光Ｌ１は、端面４２に入射可能である。そして、端面４２に入射したＩＲ光Ｌ１は、導光フィルム４０の内部を通って内周面４３に到達し、内周面４３から出射する。そして、内周面４３から出射したＩＲ光Ｌ１は受光センサー５１の受光面５１１で受光可能となる。
【符号の説明】
【００６３】
１０：ディスプレイ案内装置
２０：キャビネット
２１：本体ハウジング
２２：外扉
２４：開口
３０：ディスプレイユニット
３１：保護ガラスユニット
３２：液晶表示装置
３２Ａ：液晶表示装置
３２Ｂ：液晶表示装置
３４：導光部
４０：導光フィルム
４１：穴
４２：端面
４３：内周面
４４：端面
５１：受光センサー
５２：リモコン
５３：導光部材
６１：端面
６２：端面
６４：端面
１００：マルチディスプレイ装置
１０１：表示画面
１０２：枠フレーム
１０５：遮光シール
２１２：支持プレート
３１１：保護ガラス
３１２：緩衝部材
３１３：ケーシング
３２０：液晶表示装置
３２１：液晶ディスプレイ
３２２：支持フレーム
３２３：前枠フレーム
３４１：導光窓
４０１，４０２，４０３，４０４，４０５，４０６，４０７：導光フィルム
５１１：受光面
４０１１：穴
４０１２：内周面
４０２１：穴
４０２２：内周面
４０２３：縁部
４０３１：膨出部
４０３２：頂部
４０５１：第１導光部
４０５２：第２導光部
４０５３：第３導光部
４０７１：第１導光部
４０７２：第２導光部
４０７３：第３導光部
【図１】
2019041253.tif 000003
【図２】
2019041253.tif 000004
【図３】
2019041253.tif 000005
【図４】
2019041253.tif 000006
【図５】
2019041253.tif 000007
【図６】
2019041253.tif 000008
【図７】
2019041253.tif 000009
【図８】
2019041253.tif 000010
【図９】
2019041253.tif 000011
【図１０】
2019041253.tif 000012
【図１１】
2019041253.tif 000013
【図１２】
2019041253.tif 000014
【図１３】
2019041253.tif 000015
【図１４】
2019041253.tif 000016
【図１５】
2019041253.tif 000017
【図１６】
2019041253.tif 000018
【図１７】
2019041253.tif 000019
【図１８】
2019041253.tif 000020
【図１９】
2019041253.tif 000021
【図２０】
2019041253.tif 000022
【図２１】
2019041253.tif 000023